(57)【要約】【課題】可動に支持された端子部材を備えた端子台において、さらに作業性を向上させうる端子台を提供する。【解決手段】端子台１は、共通軸１３を有する軸支部２７Ａ、２７Ｂにより初期位置と退避位置との間で個別に回動自在に軸支された第一端子部材２０Ａ、及び第二端子部材２０Ｂと、第一端子部材、及び第二端子部材の軸支部を回避した部位に夫々設けられて、第一ケーブル２００Ａ及び第二ケーブル２００Ｂを夫々着脱自在に接続する第一、及び第二接続部３０と、軸支部に配置されて第一端子部材に接続された第一ケーブルと、第二端子部材に接続された第二ケーブルとの電気的な接続をオンオフする導通切替手段６０と、を備え、導通切替手段は、第一端子部材、及び第二端子部材が初期位置にある時には両端子部材を導通させる一方で、第一端子部材と第二端子部材の少なくとも一方が退避位置にある時には両端子部材を非導通とする。【選択図】図２
2017076582.tif 000002
【特許請求の範囲】
【請求項１】
共通軸を有する軸支部により初期位置と退避位置との間で個別に回動自在に軸支された第一端子部材、及び第二端子部材と、
前記第一端子部材、及び前記第二端子部材の前記軸支部を回避した部位に夫々設けられて、ケーブルを夫々着脱自在に接続する接続部と、
前記軸支部に配置されて、前記第一端子部材に接続されたケーブルと前記第二端子部材に接続されたケーブルとの電気的な接続をオンオフする導通切替手段と、を備え、
前記導通切替手段は、前記第一端子部材、及び前記第二端子部材が前記初期位置にある時には前記両端子部材を導通させる一方で、前記第一端子部材と前記第二端子部材の少なくとも一方が前記退避位置にある時には前記両端子部材を非導通とすることを特徴とする端子台。
【請求項２】
前記導通切替手段は、前記第一端子部材、及び前記第二端子部材の前記各軸支部に夫々形成された接触子を備え、少なくとも一方の接触子は前記共通軸の周りに円弧状に形成されており、且つ前記両端子部材が前記初期位置にあるときに他方の接触子と接触する部位は、前記初期位置から前記退避位置への回動方向上流側端部に設けられていることを特徴とする請求項１に記載の端子台。
【請求項３】
前記各端子部材は、一部が前記軸支部によって回動自在に軸支されると共に、内部に前記接続部が配置された絶縁性のケースを備え、
前記ケースの他部側面には、前記接続部に向けて前記ケーブルを挿入するケーブル挿入口が形成されていることを特徴とする請求項１又は２に記載の端子台。
【請求項４】
前記各端子部材の前記接続部は、対向配置されて前記ケーブルを挟圧する一対の挟圧部材と、一方の前記挟圧部材を他方の前記挟圧部材に対して接離自在に支持する接離手段と、を備え、
何れかの前記挟圧部材は、前記ケーブルとの接触面に前記導通切替手段と導通した接続導体を備えていることを特徴とする請求項１乃至３の何れか一項に記載の端子台。
【請求項５】
前記第一端子部材及び前記第二端子部材が前記初期位置にあるときに、前記第一端子部材及び前記第二端子部材の回動を阻止する回動阻止手段を備えたことを特徴とする請求項１乃至４の何れか一項に記載の端子台。
【発明の詳細な説明】
【技術分野】
【０００１】
本発明は、ケーブルによって伝送される通信信号を中継する端子台に係り、特に信号線等のケーブルが接続される端子部材を可動に支持することにより、ケーブルの着脱や接続試験等を行う際の作業性を向上させた端子台に関する。
【背景技術】
【０００２】
通信線路の集線盤である通信用ＭＤＦ（Main Distributing Frame：主配線盤）や、通信用ＩＤＦ（Intermediate Distribution Frame：中間配線盤）は、多数の通信回線を中継する配線盤である。これらの配線盤には、通信ケーブル接続用の端子台が設置される。
端子台は多数の接続用の端子部材を備えている。これらの端子部材は非常に狭いスペースに固定的に設置されていることから、配線の着脱時に工具が干渉して配線作業が煩雑となったり、配線の着脱時及び接続試験時に隣接する端子と短絡接触する等の問題がある。
そこで特許文献１には、端子部材を可動に支持することにより作業性を向上させた端子台が記載されている。この端子台においては、導体からなる複数の第一端子及び第二端子が突出形成されている。第一端子と第二端子は、支持部材の長手方向（軸線方向）に所定の間隔にて配置されており、互いに離反する方向に突出している。支持部材は基台によって軸線周りに回動自在となるように支持される共に、基台に対して接離自在に構成されている。
この発明によれば、第一端子及び第二端子を支持部材の軸線周りに回動させ、或いは基台から離間移動させることにより、第一端子及び第二端子の向きや位置を変化させることができるので、ケーブルの着脱作業時や接続試験時の作業性が向上する。
【先行技術文献】
【特許文献】
【０００３】
【特許文献１】特開２０１２−１９９１００公報
【発明の概要】
【発明が解決しようとする課題】
【０００４】
しかし、特許文献１に記載の端子台では全ての端子が一様に回動し又は進退するため、ケーブルの着脱作業時や接続試験時の作業性を向上させるために更なる改善の余地がある。
本発明は上述の事情に鑑みてなされたものであり、可動に支持された端子部材を備えた端子台において、さらに作業性を向上させうる端子台を提供することを目的とする。
【課題を解決するための手段】
【０００５】
上記の課題を解決するために、請求項１に記載の発明は、共通軸を有する軸支部により初期位置と退避位置との間で個別に回動自在に軸支された第一端子部材、及び第二端子部材と、前記第一端子部材、及び前記第二端子部材の前記軸支部を回避した部位に夫々設けられて、ケーブルを夫々着脱自在に接続する接続部と、前記軸支部に配置されて、前記第一端子部材に接続されたケーブルと前記第二端子部材に接続されたケーブルとの電気的な接続をオンオフする導通切替手段と、を備え、前記導通切替手段は、前記第一端子部材、及び前記第二端子部材が前記初期位置にある時には前記両端子部材を導通させる一方で、前記第一端子部材と前記第二端子部材の少なくとも一方が前記退避位置にある時には前記両端子部材を非導通とすることを特徴とする。
【０００６】
請求項２に記載の発明は、前記導通切替手段は、前記第一端子部材、及び前記第二端子部材の前記各軸支部に夫々形成された接触子を備え、少なくとも一方の接触子は前記共通軸の周りに円弧状に形成されており、且つ前記両端子部材が前記初期位置にあるときに他方の接触子と接触する部位は、前記初期位置から前記退避位置への回動方向上流側端部に設けられていることを特徴とする。
請求項３に記載の発明は、前記各端子部材は、一部が前記軸支部によって回動自在に軸支されると共に、内部に前記接続部が配置された絶縁性のケースを備え、前記ケースの他部側面には、前記接続部に向けて前記ケーブルを挿入するケーブル挿入口が形成されていることを特徴とする。
【０００７】
請求項４に記載の発明は、前記各端子部材の前記接続部は、対向配置されて前記ケーブルを挟圧する一対の挟圧部材と、一方の前記挟圧部材を他方の前記挟圧部材に対して接離自在に支持する接離手段と、を備え、何れかの前記挟圧部材は、前記ケーブルとの接触面に前記導通切替手段と導通した接続導体を備えていることを特徴とする。
請求項５に記載の発明は、前記第一端子部材及び前記第二端子部材が前記初期位置にあるときに、前記第一端子部材及び前記第二端子部材の回動を阻止する回動阻止手段を備えたことを特徴とする。
【発明の効果】
【０００８】
本発明によれば、第一端子部材と第二端子部材が初期位置と退避位置との間で個別に回動して電気的な接続をオンオフするので、作業性が向上する。
【図面の簡単な説明】
【０００９】
【図１】本発明の一実施形態に係る端子台の正面図である。
【図２】端子台の上面図であり、（ａ）は端子部材の初期位置を示し、（ｂ）は端子部材の退避位置を示す図である。
【図３】（ａ）はケーブルが接続された端子台を示す図２のＡ−Ａ断面に相当する断面図であり、（ｂ）は共通軸と接触子との関係を示す上面図である。
【図４】可動挟圧部材が固定挟圧部材から離間した状態を示す端子部材の断面図であり、（ａ）は図２のＡ−Ａ断面に相当する図であり、（ｂ）は（ａ）のＢ−Ｂ断面図であり、（ｃ）は（ａ）のＣ−Ｃ断面図である。
【図５】（ａ）は端子部材の正面図であり、（ｂ）は側面図である。
【図６】端子部材の正面図であり、（ａ）は比較的細いケーブルを接続した例を示し、（ｂ）は比較的太いケーブルを接続した例を示す図である。
【図７】図４（ｂ）に対応する断面図であり、（ａ）は挟圧手段が比較的細いケーブルを挟圧保持した状態を示し、（ｂ）は挟圧手段が比較的太いケーブルを挟圧保持した状態を示す図である。
【図８】（ａ）〜（ｄ）は、第一及び第二端子部材の位置と導通切替手段を構成する接触子の接触状態との関係を示す模式図である。
【図９】回動阻止手段について説明する図であり、（ａ）は端子台の上面図であり、（ｂ）は端子台の側面図である。
【発明を実施するための形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
本発明の一実施形態に係る端子台について説明する。図１は、本発明の一実施形態に係る端子台の正面図である。本実施形態に係る端子台は、第一ケーブルが接続される第一端子部材と、第二ケーブルが接続される第二端子部材が個別に回動する点に特徴がある。
【００１１】
〔通信ケーブル〕
端子台１は、通信に使用される信号線等のケーブル２００（２００Ａ、２００Ｂ）を接続して、ケーブル２００によって伝送される信号を中継する器具である。端子台１にはケーブル２００として、図３（ａ）に示すような導体からなる心線２０１が絶縁被覆２０２によって被覆された絶縁ケーブルが接続される。ケーブル２００には様々な太さのものがあり、本実施形態に係る端子台１はある程度の範囲の太さのケーブルに対応する。
【００１２】
〔ベース及び共通軸〕
図１に示すように、端子台１は平板状のベース１０を備えている。ベース１０は樹脂等の絶縁素材からなり、立設された状態にて設置される。
図１中、左右方向にみてベース１０の中間位置には、支持部１１がベース１０から紙面手前方向に突設されている。支持部１１は、複数個がベース１０に対して図中上下方向に並べて配置されており、これら支持部１１は、第一端子部材２０Ａと第二端子部材２０Ｂとを個別に回動自在に軸支する共通軸１３を支持する。また、各支持部１１は、後述する回動阻止板８１を回動自在に支持する。
ベース１０には、共通軸１３を介して図中右側に第一端子部材２０Ａが、図中左側に第二端子部材２０Ｂが取り付けられる。共通軸１３を間に挟んで対向配置された１対の第一端子部材２０Ａと第二端子部材２０Ｂが、互いに電気的に接続されて１つの信号を中継する端子対２１である。端子台１には、共通軸１３の軸方向に沿って複数の端子対２１が配置される。
【００１３】
〔第一端子部材、及び第二端子部材〕
第一端子部材と第二端子部材について説明する。図２は、端子台の上面図であり、（ａ）は端子部材の初期位置を示し、（ｂ）は端子部材の退避位置を示す図である。図３（ａ）はケーブルが接続された端子台を示す図２のＡ−Ａ断面に相当する断面図であり、（ｂ）は共通軸と接触子との関係を示す上面図である。
【００１４】
端子台１は、共通軸１３により夫々同一平面上を図２（ａ）に示す初期位置と図２（ｂ）に示す退避位置との間で個別に回動自在に軸支された第一端子部材２０Ａ及び第二端子部材２０Ｂを備えている。ここにいう「同一平面」とは、図２の紙面に対して平行な面である。なお、図２（ｂ）には、上段に位置する端子部材が退避位置にあり、その下段に位置する端子部材が初期位置にある場合を示している。このように、一の端子対２１を構成する端子部材２０Ａ、２０Ｂは、他の端子対２１を構成する端子部材２０Ａ、２０Ｂとは独立して回動する。
【００１５】
以下、第一端子部材２０Ａと第二端子部材２０Ｂの共通する構成について説明する。
〔ケース〕
図３に示すように、端子部材２０（２０Ａ、２０Ｂ）は、一端部２３ａが共通軸１３によって回動自在に軸支された絶縁性のケース２３を備える。ケース２３の中空内部には、ケーブル２００を着脱自在に接続する接続部３０を備える。接続部３０は、ケース２３のうち共通軸１３によって軸支される軸支部２７（２７Ａ、２７Ｂ）を回避した部位に設けられる。
ケース２３は概略直方体形状であり、ケース２３の他端部２３ｂの側面にはケース２３内にケーブル２００を挿入するためのケーブル挿入口２４が貫通形成されている。ケーブル挿入口２４は、ケース２３の内外空間を連通させる孔である。端子部材２０に対しては、ケーブル２００がケーブル挿入口２４からケース２３の一端部２３ａに向かって挿入される。即ち、端子部材２０に対してケーブル２００は、その長手方向が図中左右方向に延びるように接続される。
【００１６】
〔接続部〕
ケース２３内に配置された接続部３０について説明する。
接続部３０は、ケーブル２００を挟圧する挟圧手段３１を備える。挟圧手段３１は、ケーブル挿入口２４側に配置されて心線２０１を挟圧する入口側挟圧手段３１Ａと、入口側挟圧手段３１Ａよりも共通軸１３側（奥側）に配置されて心線２０１を挟圧する奥側挟圧手段３１Ｂとを備える。
以下、入口側挟圧手段３１Ａと奥側挟圧手段３１Ｂに共通する構成について説明する。
【００１７】
〔挟圧手段〕
挟圧手段３１（３１Ａ、３１Ｂ）は、ケーブル２００を挟圧する対向配置された一対の挟圧部材（固定挟圧部材３３、及び可動挟圧部材３７）と、可動挟圧部材３７（一方の挟圧部材）を固定挟圧部材３３（他方の挟圧部材）に対して接離自在に支持する接離手段５０とを備えている。
固定挟圧部材３３はケース２３内の上面に固定され、可動挟圧部材３７は固定挟圧部材３３の下方に配置されている。固定挟圧部材３３の可動挟圧部材３７との対向面には図４（ｂ）、（ｃ）に示すように、円弧状の固定挟圧凹所３４が形成され、可動挟圧部材３７の固定挟圧部材３３との対向面には円弧状の可動挟圧凹所３８が形成されている。
固定挟圧部材３３は絶縁材料且つ、容易には変形しない樹脂材料等から作成される。これに対して可動挟圧部材３７は絶縁材料且つ、弾性変形可能なゴム等の材料から作成される。少なくとも挟圧部材の一方を弾性変形可能な材料から構成することにより、心線２０１との密着性を高めて心線２０１の脱落を防止する。
【００１８】
〔接離手段〕
接離手段５０は、可動挟圧部材３７を固定挟圧部材３３から離間させる方向に押圧する押圧手段としての押圧体５１及び押圧体５１を操作する押圧ボタン５２と、可動挟圧部材３７を固定挟圧部材３３に向けて常時弾性付勢するコイルバネ５３（弾性付勢手段）と、を備えている。
押圧ボタン５２はケース２３の外部、本例ではケース２３の上方に配置されている。押圧体５１は、押圧ボタン５２の下面から下方に突出している。押圧体５１は軸状の部材であり、ケース２３及び固定挟圧部材３３に設けられた挿通孔２５、３５に挿通され、下端面が可動挟圧部材３７の上面に接触している。なお、押圧体５１は可動挟圧部材３７に一体化されてもよい。
【００１９】
押圧体５１の外周面適所には、外径方向に脱落防止ストッパ５１ａが突出形成されている。脱落防止ストッパ５１ａは押圧体５１がケース２３から抜け出すことを防止する部材であり、外径が挿通孔３５の内径と略同等かそれよりも小さく、且つ挿通孔２５よりも大径のフランジ状に形成されている。
コイルバネ５３はケース２３の内部底面から上方に突出したガイド軸５４に挿通されており、図中上下方向にその弾性変形方向を制限されている。また、ガイド軸５４の上端部は、可動挟圧部材３７の下面から上方に向けて形成されたガイド凹所３９内に挿入されており、ガイド軸５４の可動挟圧部材３７からの脱落を防止する。
【００２０】
〔奥側挟圧手段特有の構成〕
端子台１において第一端子部材２０Ａと第二端子部材２０Ｂが共通軸１３によって夫々軸支される第一軸支部２７Ａと第二軸支部２７Ｂとの対向面には、第一端子部材２０Ａと第二端子部材２０Ｂとを導通させる導通切替手段６０を構成する導体からなる接触子６１（第一接触子６１Ａと第二接触子６１Ｂ）が配置されている。
奥側挟圧手段３１Ｂが入口側挟圧手段３１Ａと異なる点は、接触子６１と導通した接続導体６５を備えている点にある。接続導体６５は、固定挟圧凹所３４内に配置されており、端子部材２０内に挿入されて挟圧保持されたケーブル２００の心線２０１と接触する。
接続導体６５の形状や配置は自由に設定できるが、図示する接続導体６５は、固定挟圧凹所３４から、固定挟圧部材３３のうち一端部２３ａ側の側面、ケース２３の内部上面、及びケース２３の一端部２３ａ側に位置する内側面を経由して第一接触子６１Ａと導通している。
もちろん、接続導体６５は、可動挟圧部材３７に配置してもよいし、入口側挟圧手段３１Ａに配置してもよい。
【００２１】
〔接離手段の動作〕
図４は、可動挟圧部材が固定挟圧部材から離間した状態を示す端子部材の断面図であり、（ａ）は図２のＡ−Ａ断面に相当する図であり、（ｂ）は（ａ）のＢ−Ｂ断面図であり、（ｃ）は（ａ）のＣ−Ｃ断面図である。
コイルバネ５３は常時、可動挟圧部材３７を上方の固定挟圧部材３３に向けて弾性付勢しており、固定挟圧凹所３４と可動挟圧凹所３８との間に心線２０１が挿入されていない状態では、両挟圧部材の固定挟圧凹所３４及び可動挟圧凹所３８を除く対向面が密着する。
【００２２】
ここで、押圧ボタン５２をコイルバネ５３の弾性付勢力に抗して図中下方に押圧すると、図４の各図に示すように、可動挟圧部材３７が押圧体５１によって押し下げられる。可動挟圧部材３７が固定挟圧部材３３から離間して、固定挟圧凹所３４と可動挟圧凹所３８との間には心線２０１を挿入可能な隙間が形成される。
心線２０１を固定挟圧凹所３４と可動挟圧凹所３８との間に挿入して押圧ボタン５２への押圧を解除すれば、心線２０１はコイルバネ５３の弾性付勢力によって、固定挟圧凹所３４と可動挟圧凹所３８とによって挟圧、保持される（図３参照）。
また、心線２０１を取り外す場合は、心線２０１を挿入する場合と同様に押圧ボタン５２を図中下方に押圧して可動挟圧部材３７を固定挟圧部材３３から離間させて、固定挟圧凹所３４と可動挟圧凹所３８とによる心線２０１の挟圧を解除すればよい。
【００２３】
〔ケーブル固定手段〕
ケースから露出したケーブル２００の絶縁被覆２０２部分を固定的に支持するケーブル固定手段について説明する。図５（ａ）は端子部材の正面図であり、（ｂ）は側面図である。図６は端子部材の正面図であり、（ａ）は比較的細いケーブルを接続した例を示し、（ｂ）は比較的太いケーブルを接続した例を示す図である。
ケース２３の他端部２３ｂに設けられたケーブル固定手段７０は、ケーブル挿入口２４の上部に配置されたケース側ケーブル固定片７１と、ケース２３の外側面に回動自在に設けられた回動支持部材７６によって支持されてケーブル挿入口２４に対して挿抜自在に構成された可動ケーブル固定片７５とを有する。
【００２４】
ケース側ケーブル固定片７１は概略逆Ｕ字形であり、下側に設けられた凹所７２内においてケーブル２００の絶縁被覆２０２部分を保持する。可動ケーブル固定片７５は、回動支持部材７６に固定された基端部７５ａに対して、ケーブル挿入口２４に挿入される先端部７５ｂが徐々に細くなる先細り形状である。
ケース側ケーブル固定片７１と可動ケーブル固定片７５とは、共に、弾性を有するゴム、或いは変形可能なやや固めのスポンジ等から構成されている。ケーブル固定手段７０は、図３（ａ）や図６（ｂ）に示すように、ケース側ケーブル固定片７１と可動ケーブル固定片７５との間で絶縁被覆２０２を挟んでケーブル２００を固定する。このとき、可動ケーブル固定片７５のケーブル挿入口２４内への挿入深さは、保持するケーブル２００の太さに応じて決定される。両固定片７１、７５はケーブル２００を挟む際に弾性変形して強固にケーブル２００を固定する。
なお、ケース２３に比較的細いケーブル２００が挿入される場合は、図６（ａ）に示すように、絶縁被覆２０２は、ケース側ケーブル固定片７１に接触しないため、ケーブル固定手段７０によって絶縁被覆２０２を固定することは困難である。しかし、ケーブル２００が軽量であるため、ケーブル固定手段７０で固定しなくても、図７（ａ）に示すように、挟圧手段３１のみによって脱落しない程度に保持可能である。
【００２５】
〔挟圧状態の説明〕
ケース内部におけるケーブルの挟圧状態について説明する。
図７は、図４（ｂ）に対応する断面図であり、（ａ）は挟圧手段が比較的細いケーブルを挟圧保持した状態を示し、（ｂ）は挟圧手段が比較的太いケーブルを挟圧保持した状態を示す図である。なお、図７には、入口側挟圧手段３１Ａのみを示しているが、奥側挟圧手段についても同様である。
図示するように、入口側挟圧手段３１Ａは、ケーブル２００の心線を固定挟圧凹所３４と可動挟圧凹所３８との間で挟圧、保持する。固定挟圧凹所３４と可動挟圧凹所３８の曲率半径は、挟圧しうる心線２０１の曲率半径よりも大きく構成されており、太さの異なる心線２０１を安定して挟圧、保持する。
このように端子部材２０は、太さの異なるケーブルを挟圧保持することができるように構成されている。例えば端子部材２０は、心線２０１の直径が０．４ｍｍ、絶縁被覆２０２を含む外径が０．９ｍｍ程度のプリント局内ケーブルと、心線２０１の直径が１．８ｍｍ絶縁被覆２０２を含む外径が３．４ｍｍ程度のＩＶ電線（２゜）の何れも接続可能に構成される。
【００２６】
〔導通試験口〕
図５（ａ）に示すように、ケース２３の正面には導通試験口２６が貫通形成されている。導通試験口２６は、ケース２３の内外空間を連通させる孔である。導通試験口２６からケース２３内に導通試験用プローブ（不図示）を挿入することにより、ケース２３内の心線２０１にプローブを接触させて、各種の導通試験を実施することができる。
【００２７】
〔端子部材間の接続について〕
図３（ａ）に示すように、第一端子部材２０Ａは、第二端子部材２０Ｂに向けて突出する第一軸支部２７Ａを有する。第一軸支部２７Ａには、共通軸１３が挿通される第一挿通孔２８Ａが貫通形成されている。第二端子部材２０Ｂは、第一端子部材２０Ａに向けて突出する第二軸支部２７Ｂを有する。第二軸支部２７Ｂには、共通軸１３が挿通される第二挿通孔２８Ｂが貫通形成されている。
共通軸１３は、第一軸支部２７Ａの第一挿通孔２８Ａと第二軸支部２７Ｂの第二挿通孔２８Ｂとを連通させた状態にて、両孔に跨がって挿通される。この状態において、第一端子部材２０Ａと第二端子部材２０Ｂは共通軸１３周りに自在に、且つ個別に回動する。
【００２８】
〔導通切替手段、接触子〕
第一軸支部２７Ａと第二軸支部２７Ｂとの対向面には、導通切替手段６０が設けられている。導通切替手段６０について図３（ｂ）及び図８に基づいて説明する。図３（ｂ）は共通軸と接触子との関係を示す上面図である。図８（ａ）〜（ｄ）は、第一及び第二端子部材の位置と導通切替手段を構成する接触子の接触状態との関係を示す模式図である。
導通切替手段６０は、第一端子部材２０Ａに接続された第一ケーブル２００Ａと、第二端子部材２０Ｂに接続された第二ケーブル２００Ｂとの電気的な接続をオンオフする手段であり、第一端子部材２０Ａ及び第二端子部材２０Ｂが図２（ａ）に示す初期位置にある時には両端子部材を導通させる一方で、第一端子部材２０Ａと第二端子部材２０Ｂの少なくとも一方が図２（ｂ）に示す退避位置にある時には両端子部材を非導通とする。
【００２９】
導通切替手段６０は、第一端子部材２０Ａに形成された第一接触子６１Ａと、第二端子部材２０Ｂに形成された第二接触子６１Ｂとを備えている。第一接触子６１Ａは第二軸支部２７Ｂと対向する第一軸支部２７Ａの一面（ここでは上面）に形成され、第二接触子６１Ｂは第一軸支部２７Ａの一面と対向する第二軸支部２７Ｂの一面（ここでは下面）に形成されている。
【００３０】
図８に示すように、第一接触子６１Ａは、共通軸１３周りに円弧状に形成されている。第二接触子６１Ｂは、第二端子部材２０Ｂの他端部２３ｂ側から共通軸１３の軸心に向かって直線状に形成されている。第一端子部材２０Ａが初期位置にあるときに、第一接触子６１Ａが第二接触子６１Ｂと接触する部位は、初期位置から退避位置への回動方向上流側端部に設けられている。
【００３１】
図８（ａ）には、第一接触子６１Ａと第二接触子６１Ｂが共に初期位置にある場合を示している。この場合は、第一接触子６１Ａと第二接触子６１Ｂとが導通し、第一端子部材２０Ａと第二端子部材２０Ｂとが導通（オン）となる。
図８（ｂ）は、第一接触子６１Ａが退避位置にあり、第二接触子６１Ｂが初期位置にある場合を示している。図８（ｃ）は、第一接触子６１Ａが初期位置にあり、第二接触子６１Ｂが退避位置にある場合を示している。図８（ｄ）は、第一接触子６１Ａと第二接触子６１Ｂが共に退避位置にある場合を示している。図８（ｂ）〜（ｄ）の何れの場合も、第一接触子６１Ａと第二接触子６１Ｂとは接触せず、第一端子部材２０Ａと第二端子部材２０Ｂとが非導通（オフ）となる。
なお、接触子の配置や形状は、これに限られるものではない。例えば第一接触子６１Ａと第二接触子６１Ｂの形状を入れ替えても良い。また、図示する第一接触子６１Ａは、共通軸１３を約１８０度取り囲むように形成されているが、第一接触子６１Ａと第二接触子６１Ｂとが共通軸１３を夫々約９０度ずつ取り囲むように構成する等してもよい。また、両接触子が共通軸１３の周囲に直線的に伸びるような形状であってもよい。
【００３２】
〔回動阻止手段〕
回動阻止手段について、図１及び図９に基づいて説明する。図９は、回動阻止手段について説明する図であり、（ａ）は端子台の上面図であり、（ｂ）は端子台の側面図である。
端子台１は、第一端子部材２０Ａ及び第二端子部材２０Ｂが初期位置にあるときに、第一端子部材２０Ａ及び第二端子部材２０Ｂの回動を阻止する回動阻止手段８０を備えている。
【００３３】
回動阻止手段８０は、第一端子部材２０Ａと第二端子部材２０Ｂの双方が初期位置にあるときに、第一端子部材２０Ａと第二端子部材２０Ｂの前面に跨がって添設される回動阻止板８１を備えている。回動阻止板８１が添設される第一端子部材２０Ａと第二端子部材２０Ｂの面は、両端子部材が初期位置から退避位置に移動する際の移動方向下流側の側面である。
回動阻止板８１は、共通軸１３と交差（直交）する方向を軸とするヒンジ８２によって、ベース１０の支持部１１に回動自在に軸支されている。回動阻止板８１は、第一端子部材２０Ａと第二端子部材２０Ｂの前面に添設されて両端子部材の回動を阻止する回動阻止位置と、両端子部材の前面から離間して両端子部材の回動を許容する回動許容位置との間を変位する。回動阻止板８１は、回動を阻止又は許容する端子部材の直上にある支持部１１によって支持されており、端子部材の前面に垂下した姿勢が回動阻止位置である。また、略水平な姿勢を取るときに端子部材の回動を許容する。
【００３４】
回動阻止板８１は回動阻止位置にあるときに、第一端子部材２０Ａと第二端子部材２０Ｂが回動しようとしても、容易には変形しない絶縁材料から構成される。
回動阻止位置にあるときに第一端子部材２０Ａと第二端子部材２０Ｂの夫々の導通試験口２６と対向する回動阻止板８１の部位には、第一端子部材２０Ａと第二端子部材２０Ｂに向けてストッパ８３が突出形成されている。ストッパ８３は、ゴム等の弾性変形可能な素材から構成されている。ストッパ８３は、回動阻止板８１が回動阻止位置にあるときに、導通試験口２６に挿入される。このとき、ストッパ８３は弾性変形して、回動阻止板８１の回動許容位置に向けての回動を効果的に阻止する。
なお、ストッパ８３は、回動阻止板８１と同一の素材から回動阻止板８１と一体的に形成されてもよい。
また、回動阻止板８１は、その前面に回線面を表示した場合には、第一端子部材２０Ａと第二端子部材２０Ｂが中継する回線名を表示する回線名表示板としても機能する。
【００３５】
〔回路の接続又は開放、及び導通試験〕
本実施形態に係る端子台１は、端子部材２０を回動させることにより、容易に回路の接続又は開放が可能である。従って、回路の一部を開放させた導通試験を容易に行うことができる。
この場合は、まず回動阻止板８１を回動阻止位置から回動許容位置まで回動させる（図９参照）。続いて、端子対２１を構成する２つの端子部材２０のうち、導通試験用プローブ（不図示）を挿入する導通試験口２６が設けられた端子部材２０は初期位置のままとし、他方の端子部材２０を退避位置まで回動させる（図２（ｂ）参照）。少なくとも一方の端子部材２０を退避位置に移動させることで、図８に示すように接触子６１間の導通が解除される。従って、ケーブル２００を取り外すことなく回路を開放させて、所望の導通試験等を実施することができる。
【００３６】
〔回路の接続又は開放、及びケーブルの着脱〕
また、端子部材２０を退避位置まで回動させた場合には、ケーブル挿入口２４を正面に向けることができるので、ケーブル２００を着脱する際の作業効率が向上する。また、端子部材２０が退避位置にあるとき、作業対象であるケーブル２００は、作業対象ではない他の端子部材（及び／又は、他のケーブル）と明確に分離されるため、ケーブル２００着脱作業中に他のケーブルを誤って外したりする恐れがなく、他のケーブルと接触する危険性がないため、安全にケーブル２００の着脱作業を実施することができる。
【００３７】
〔実施態様例と作用、効果のまとめ〕
＜第一実施態様＞
本態様に係る端子台１は、共通軸１３を有する軸支部２７Ａ、２７Ｂにより初期位置と退避位置との間で個別に回動自在に軸支された第一端子部材２０Ａ、及び第二端子部材２０Ｂと、第一端子部材、及び第二端子部材の軸支部を回避した部位に夫々設けられて、ケーブル（第一ケーブル２００Ａ、第二ケーブル２００Ｂ）を夫々着脱自在に接続する接続部３０と、軸支部に配置されて、第一端子部材に接続された第一ケーブルと第二端子部材に接続された第二ケーブルとの電気的な接続をオンオフする導通切替手段６０と、を備え、導通切替手段は、第一端子部材、及び第二端子部材が初期位置にある時には両端子部材を導通させる一方で、第一端子部材と第二端子部材の少なくとも一方が退避位置にある時には両端子部材を非導通とすることを特徴とする。
本態様によれば、第一端子部材と第二端子部材が初期位置と退避位置との間で個別に回動して電気的な接続をオンオフするので、作業性が向上する。
【００３８】
＜第二実施態様＞
本態様に係る端子台１において、導通切替手段６０は、第一端子部材２０Ａ、及び第二端子部材２０Ｂの各軸支部２７Ａ、２７Ｂに夫々形成された接触子６１Ａ、６１Ｂを備え、少なくとも一方の接触子６１Ａは共通軸１３の周りに円弧状に形成されており、且つ両端子部材が初期位置にあるときに他方の接触子６１Ｂと接触する部位は、初期位置から退避位置への回動方向上流側端部に設けられていることを特徴とする。
本態様によれば、少なくとも一方の接触子については、他方の接触子と接触する部位が初期位置から退避位置への回動方向上流側端部に位置するので、少なくとも一つの端子部材を退避位置に移動させる（下流側へ回動させる）ことにより、両端子部材の電気的な接続をオフにできる。
【００３９】
＜第三実施態様＞
本態様に係る端子台１において、各端子部材２０Ａ、２０Ｂは、一部が軸支部２７Ａ、２７Ｂによって回動自在に軸支されると共に、内部に接続部３０が配置された絶縁性のケース２３を備え、ケースの他部側面には、接続部に向けてケーブル２００を挿入するケーブル挿入口２４が形成されていることを特徴とする。
本態様によれば、端子部材を共通軸回りに回動させることで、ケーブル挿入口を正面に向けることができるので、ケーブルを着脱する際の作業効率が向上する。
【００４０】
＜第四実施態様＞
本態様に係る端子台１において、各端子部材２０Ａ、２０Ｂの接続部３０は、対向配置されてケーブル２００を挟圧する一対の挟圧部材３３、３７と、一方の挟圧部材を他方の挟圧部材に対して接離自在に支持する接離手段５０と、を備え、何れかの挟圧部材は、ケーブルとの接触面に導通切替手段６０と導通した接続導体６５を備えていることを特徴とする。
本態様によれば、接離手段によって挟圧部材間に隙間を形成してケーブルを挿入し、挿入したケーブルを一対の挟圧部材によって挟圧すれば端子部材へのケーブルの接続が完了するため、作業が簡便に行える。
【００４１】
＜第五実施態様＞
本態様に係る端子台１は、第一端子部材２０Ａ及び第二端子部材２０Ｂが初期位置にあるときに、第一端子部材及び第二端子部材の回動を阻止する回動阻止手段８０を備えたことを特徴とする。
本態様によれば、端子部材の回動による意図しない回路の切断を防止できる。
【符号の説明】
【００４２】
１…端子台、１０…ベース、１１…支持部、１３…共通軸、２０…端子部材、２０Ａ…第一端子部材、２０Ｂ…第二端子部材、２１…端子対、２３…ケース、２３ａ…一端部、２３ｂ…他端部、２４…ケーブル挿入口、２５…挿通孔、２６…導通試験口、２７Ａ…第一軸支部、２７Ｂ…第二軸支部、２８Ａ…第一挿通孔、２８Ｂ…第二挿通孔、３０…接続部、３１…挟圧手段、３１Ａ…入口側挟圧手段、３１Ｂ…奥側挟圧手段、３３…固定挟圧部材、３４…固定挟圧凹所、３７…可動挟圧部材、３８…可動挟圧凹所、３９…ガイド凹所、５０…接離手段、５１…押圧体、５１ａ…脱落防止ストッパ、５２…押圧ボタン、５３…コイルバネ、５４…ガイド軸、６０…導通切替手段、６１…接触子、６１Ａ…第一接触子、６１Ｂ…第二接触子、６５…接続導体、７０…ケーブル固定手段、７１…ケース側ケーブル固定片、７２…凹所、７５…可動ケーブル固定片、７５ａ…基端部、７５ｂ…先端部、７６…回動支持部材、８０…回動阻止手段、８１…回動阻止板、８２…ヒンジ、８３…ストッパ、２００…ケーブル、２００Ａ…第一ケーブル、２００Ｂ…第二ケーブル、２０１…心線、２０２…絶縁被覆
【図１】
2017076582.tif 000003
【図２】
2017076582.tif 000004
【図３】
2017076582.tif 000005
【図４】
2017076582.tif 000006
【図５】
2017076582.tif 000007
【図６】
2017076582.tif 000008
【図７】
2017076582.tif 000009
【図８】
2017076582.tif 000010
【図９】
2017076582.tif 000011